(57)【特許請求の範囲】
【請求項１】
足袋（１）の足先部分に本体開口部（１Ｅ）を有するストッキング本体（１Ｄ）と、前記本体開口部（１Ｅ）の周囲を覆うと共に本体開口部（１Ｅ）よりも先側に足先を露出しうる開口縁（２Ｅ）を有した覆い布（２）と、覆い布（２）の開口縁（２Ｅ）に沿って環状に挿設された紐（３）と、覆い布（２）の表面であって前記開口縁（１Ｅ）よりも上方に取り付けられた飾り部（４）とを具備し、飾り部（４）によって、紐（３）の両端を挿通させうる絞り孔（４０）が形成されたストッキングであって、覆い布（２）は紐（３）を緊縮乃至弛緩させることで、開口縁（２Ｅ）が閉じた閉口状態、乃至開口縁（２Ｅ）が開いた開口状態となり、開口縁（２Ｅ）が環状に開口した通常の開口状態で足先を露出させて装着した状態から、紐（３）の紐端同士を飾り部（４）の絞り孔（４０）に通して覆い布（２）を絞り上げて開口形状を変形させ、紐の両端同士又は紐と飾り部の相互を緊止させた絞り開口状態（ｓ２）を形成しうることを特徴とするストッキング。
【請求項２】
飾り部（４）は、足の甲側にて足幅方向を亘ってそれ自体の両側端部（４２）が覆い布（２）に縫合された装飾片からなり、この装飾片と覆い布（２）との間に絞り孔（４０）が形成される請求項１記載のストッキング。
【請求項３】
紐（３）は、覆い布（２）の開口縁に沿って形成され、内部に紐通し孔（２０）を有した紐通し部（２１）の内部を挿通すると共に、前記飾り部（４）の取り付け位置と同じ幅方向位置で開口した紐通し孔（２０）から露出する請求項１又は２記載のストッキング。
【請求項４】
紐通し部（２１）は、覆い布（２）の幅方向中央位置で紐通し孔（２０）の両端が対向して開口すると共に、この開口した部分から上方に連続して、覆い布（２）の表面材を左右に分ける切り込み部（２２）が形成される請求項３記載のストッキング。
【請求項５】
覆い布（２）は、着脱係止構造によって足袋（１）から着脱可能に設けられる請求項１乃至４のいずれか記載のストッキング。
【発明の詳細な説明】
【技術分野】
【０００１】
本発明は、使用者の下半身全体を覆うように装着するストッキング（パンティストッキング、レギンス、タイツを含む）に関する。
【背景技術】
【０００２】
女性等の下半身全体を覆うストッキングは、足にフィットする伸縮性の素材からなるため、拘束感がある。また一対の袋状部が左右それぞれの足全体を覆うため、ストッキングをはいた状態では足指間に鼻緒を配した履物を履くことができず、足指の治療を行うことができない。これらに鑑みて、足先部を開放したストッキングが要求される。
【０００３】
従来、ストッキング本体におけるストッキング部の足裏部の一部に周囲に解れ止め加工を施して伸縮自在の引き出し穴を設け、この引き出し穴から足指先部の挿通を自在としたストッキングが開示される（例えば、特許文献１参照）。これは、バレエの途中で足の怪我等に際しストッキングを脱ぐことなくすばやく手当てできるものとされる。
【０００４】
また従来、爪先部から足部の着脱が可能な靴下として、ストッキングの足底部に開口部を形成し、縁には伸縮性のある素材をつなぎ合わせたものが開示される（例えば、特許文献２参照）。これはつめ先部から足部の着脱が可能なものとして、必要に応じて容易に足を露出し、不快感を解消するものとされる。
【先行技術文献】
【特許文献】
【０００５】
【特許文献１】実開平７−１５７０５号公報
【特許文献２】特開２００４−３０８０２９号公報
【発明の概要】
【発明が解決しようとする課題】
【０００６】
これらはストッキングを脱ぐことなく必要に応じて解放感を味わうことが可能である。しかしながら、上記従来の靴下あるいはストッキングは、開口時には足先が開口部から露出したままカバー部がひっくり返った状態のまま、あるいは、開口部より先の部分が余ったままであり、容易に足先の解放感を味わうことができるとはいえなかった。またこれに加えて開口部が足裏以外の配置されたときは、開口を使用しない場合でも、開口となる切り離し部がそのまま露出した状態となるため、開口状態あるいは開口しない状態において、ファッション性に優れるとはいえず、また体裁の良いものとはいえなかった。
【０００７】
また足先に通した紐・リボンの緊縮や結び目の形成によって足先を開閉調整することは手間であり、開口状態での体裁を保ったまま開口形状や開口量を調整乃至変形させることは容易ではなかった。
【０００８】
そこで本発明においては、ストッキングを脱ぐことなく必要に応じて容易に足先の解放感を味わうことができ、さらに開口状態での体裁を保ったまま開口形状や開口量を容易に調整ないし変形させることができ、また開口状態においてファッション性に優れ、体裁の良いストッキングを提供することを課題とする。
【課題を解決するための手段】
【０００９】
上記課題を解決するため、本発明では下記（１）ないし（５）の手段を講じている。
【００１０】
（１）すなわち、本発明のストッキングは、
足袋１の足先部分に本体開口部１Ｅを有するストッキング本体１Ｄと、前記本体開口部１Ｅの周囲を覆うと共に本体開口部１Ｅよりも先側に足先を露出しうる開口縁２Ｅを有した覆い布２と、覆い布２の開口縁２Ｅに沿って環状に挿設された紐３と、覆い布２の表面であって前記開口縁１２Ｅよりも上方に取り付けられた飾り部４とを具備し、飾り部４によって、紐３の両端を挿通させうる絞り孔４０が形成されたストッキングであって、
覆い布２は紐３を緊縮乃至弛緩させることで、開口縁２Ｅが閉じた閉口状態、乃至開口縁２Ｅが開いた開口状態となり、
開口縁２Ｅが環状に開口した通常の開口状態で足先を露出させて装着した状態から、紐３の紐端同士を飾り部４の絞り孔４０に通して覆い布２を絞り上げて開口形状を変形させ、紐の両端同士又は紐と飾り部の相互を緊止させた絞り開口状態ｓ２を形成しうることを特徴とする。
【００１１】
紐３は、絞り孔４０を通して絞り上げる量によって開口大及び覆い布２の緊縮量を調節することができる。このようなものであれば、紐３の結び部が不要に解けたり邪魔になったりするのを防ぐことができ、絞り止め状態の絞り量を調節することで通気性を確保し、或いは開口状態にてファッション性に優れ、体裁に優れた開口状態を保持することができる。
【００１２】
実施例では、覆い布２の長さ方向中央位置であって足の甲の中央位置、かつ長さ方向中央よりもやや上方の位置に一つのリボン形の飾り部４を縫合している。例えば図７に示すように、紐３をこの飾り部４に絡めて絞り上げ、開口縁２Ｅを三角状に開口させた絞り開口状態ｓ２とする。図７では紐通し部２１の開口部から露出した紐３の両端を一旦交差させ或いは縦結びをして、紐３両端の先部を飾り部４下面のふたつの絞り孔４０にそれぞれ通し、飾り部４の中央部４１に絡めて紐３同士を結んでいる。飾り部４を足の甲の中央位置に設けることで体裁に優れ、歩行時や装着時時に紐３の先が邪魔になりにくく、さらに不用意に解けたり引っ掛かったりしにくいものとなる。
【００１３】
（２）前記ストッキングにおいて飾り部４は、足の甲側にて足幅方向を亘ってそれ自体の両側端部４２が覆い布２に縫合された装飾片からなり、この装飾片と覆い布２との間に絞り孔４０が形成されることが好ましい。
【００１４】
幅方向に亘る装飾片の両側端部４２が覆い布２に縫合されることで、飾り部４の固定と共に絞り孔４０が形成される。実施例では中央に絞り部が形成されたリボン形の装飾片において、各側端部４２と中央部４１とを縫合させて、覆い布２上を２つの絞り孔４０が続けて形成される。他の態様として、飾り部４を構成する装飾片自体に切り込みを入れて絞り孔４０を形成してもよい。
【００１５】
（３）前記いずれかのストッキングにおいて紐３は、覆い布２の開口縁に沿って形成され、内部に紐通し孔２０を有した紐通し部２１の内部を挿通すると共に、前記飾り部４の取り付け位置と同じ幅方向位置で開口した紐通し孔２０から露出することが好ましい。これは紐３の露出部の直上位置に飾り部４が取り付けられた態様であり、露出した紐３の両先部をそのまま上方へ引き上げて覆い布２を絞ることで、左右に均等に絞られた体裁の好い絞り開口状態ｓ２とすることができる。
【００１６】
（４）前記いずれかのストッキングにおいて紐通し部２１は、覆い布２の幅方向中央位置で紐通し孔２０の両端が対向して開口すると共に、この開口した部分から上方に連続して、覆い布２の表面材を左右に分ける切り込み部２２が形成される。これは実施例１及び２の形態に対応するものであり、切り込み部２２によって開口状態での開口をさらに大きくすることが可能となり、開口量の調節の自由度が上がる。また、開口から露出した紐３の先部の方向性の自由度も上がるため、覆い布２の絞り上げが容易となり、絞り開口状態ｓ２を形成しやすくなる。
【００１７】
（５）前記いずれかのストッキングにおいて覆い布２は、着脱係止構造によって足袋１から着脱可能に設けられることが好ましい。後述の実施例では覆い布２の裏面に環状に配列させた複数のボタン５１と、足袋１の本体開口部１Ｅ近傍に対応配列させたボタン孔５２とによって着脱係止構造が設けられる。
【００１８】
複数の覆い布２あるいは複数のストッキング本体１Ｄを用意しておき、それぞれの破損状態或いはデザイン或いは機能に応じて付け替えたり、ストッキング本体１Ｄと覆い布２を取り外して洗濯したりすることで、幅広い使い方が可能となる。例えば飾り部４の形状や覆い布２のレース模様や紐３の形態が異なる複数の覆い布２の組と、１本または複数本のストッキング本体１Ｄとを組み合わせた販売セットとすることも可能である。特に足先は歩行によって擦れたり引っ掛かったりしやすい箇所であり、開口部、その開閉機構あるいはその周辺布が破損してしまう場合がある。このため複数組の覆い布２と一または複数のストッキング本体１Ｄとを組み合わせた販売セット、或いは覆い布２の組ごとの販売セットは販売形態として好適である。
【発明の効果】
【００１９】
本発明は、先端開口させた足先に覆い布を配し、この覆い布の周面（内周面または外周面）に沿って開口縁２Ｅの開閉機構である紐通し部２１及び紐３を設けているため、紐３の緊縮や結び目を形成したり解いたりすることで、ストッキングを脱ぐことなく必要に応じて容易に足先の解放感を味わうことができる。また開口状態において飾り部４の絞り孔４０に紐を通すことで、開口縁２Ｅを飾り部４付近まで絞って開口形状を変形させることで、さらに大きな足先の解放感を味わうことができ、また飾り部４からの紐３の引揚げ量を増減することで、容易に絞り量ないし開口量を調節することができる。また、開口状態において覆い布２の開口縁２Ｅが飾り部４を中心に斜め方向に対称形成されるため、開口状態においてファッション性に優れ、体裁の良いストッキングを提供することが可能となる。
【図面の簡単な説明】
【００２０】
【図１】本発明の実施例１のストッキングの全体形状を示す正面図。
【図２】図１の片側の足袋１の足先部の拡大正面図。
【図３】図２に示す実施例１の足先部の背面図。
【図４】図２に示す実施例１の足先部において覆い布２を足袋１から分離させた状態を示す正面説明図。
【図５】図２に示す実施例１の足先部の厚さ方向中央における断面図。
【図６】図２に示す実施例１の足先部の底面図。
【図７】実施例１のストッキングの絞り開口状態を示す使用状態説明図。
【図８】実施例２のストッキングの片側の足袋１の拡大正面図。
【図９】実施例３のストッキングの片側の足袋１の拡大正面図。
【発明を実施するための形態】
【００２１】
本発明の実施の形態について図面を参照して詳細に説明する。図１ないし図７は、本発明の実施例１のストッキング、図８は本発明の実施例２のストッキング、図９は本発明の実施例３のストッキングをそれぞれ示す。
【実施例１】
【００２２】
＜本発明のストッキングの全体構成（図１）＞
本発明のストッキングは、ストッキング本体１Ｄの２本の足袋１の先側を開口させた本体開口部１Ｅを有すると共に、この開口させた本体開口部１Ｅの上に使用者の足先を覆う覆い布２を固定してなる。覆い布２は本体開口部１Ｅよりも所定距離だけ先側に延伸し、その先端に、使用者の五本すべての足指を露出しうる大きさの開口縁２Ｅを設けてなる。そして開口縁２Ｅの環状の開口に沿って紐３が挿設され、紐３が開口縁２Ｅの開口量を調節可能としている。
【００２３】
（ストッキング本体１Ｄ）
ストッキング本体１Ｄは２本の足袋１（足を収容する袋部分）を有する（図１）。タイツ或いは靴下或いはパンツの形態として両足袋１を一体的に有するものでもよいが、ほかにレギンス或いはソックスの形態として、左右の足袋１が分離した組構成とされてもよい。
【００２４】
切断箇所は、足袋１が伸張されない状態において、対象者のふくらはぎ辺りである。足袋１は先端が切断され、この切断縁が外側に折りかえされることで先端に折り返し部１１が形成され、この折り返し部１１の先側が本体開口部１Ｅとなる。折り返し部１１の折り返し幅中央にボタン孔５２が形成される（図４）。折り返し部１１は覆い布２を取り付けたときに覆い布２によって隠ぺいされる（図５）。
【００２５】
（覆い布２）
覆い布２は、伸縮材で構成され、少なくとも足の甲側の部分を覆うか、或いは足先の全周を覆う。少なくとも一部分又は全部が足袋１のストッキング地と重ねられて、本体開口部１Ｅよりも先側まで覆い部を延伸させたものである。実施例１の覆い布２は、伸縮性のあるレース地の筒状の布材からなり、レース地などの任意のデザインが施される（図２等）。先端の覆い布２によって開口を構成するため、体裁がよく、又開口部の強度を確保し、足先付近を保護することができる。レース地材で構成されるものであれば、足先付近の防寒機能と通気機能とを両備したものとなる。覆い布２は長さ方向の一部分（実施例では上部三分の一の部分）がストッキング地の表面を覆い、着脱係止具によって着脱可能に取り付けられる（図４、図５）。なおこの着脱係止具を有さずに覆い布２を縫合固定したものでもよい。
【００２６】
（紐通し部２１）
紐通し部２１は、覆い布２の先部の開口縁１Ｅに沿って設けられ、それ自体も両端開口した袋状の挿通体からなる。実施例１の紐通し部２１の両端は、足の甲の略中央位置で互いに近接して開口する。筒長さ方向に沿って紐通し孔２０が設けられ、紐通し部２１内へ挿設された紐３の両紐端が、この紐通し孔２０の開口から外部に突出する。実施例１の紐通し部２１は覆い布２の先に延設した裏材２Ｒを裏側へ折り返し、ステッチ２１で縫合されることで、覆い布２の内面に紐通し用裏材２１Ｒが配される（図５）。
【００２７】
（切り込み部２２）
紐通し部２１の開口した部分から上方に連続して、覆い布２の表面材を左右に分ける切り込み部２２が形成される（図２、図４）。切り込み部２２は足の甲の中央部にて開口縁１Ｅから上方へ覆い布２を切り込むことで覆い布２の一部分を左右へ分離させ、左右切り込み縁に沿ってそれぞれステッチ２２Ｓで縫合される。切り込み部２２の切り込み長は、覆い布２の長さの略半分以下であることが好ましい。
【００２８】
（紐３）
紐３は覆い布２の表面または裏面にそって環状に挿通されると共に両紐端が飛び出しており、紐の緊縮量によって開口の大きさ及び開口位置を調節しうると共に、飛び出した紐端を結ぶことで開口量又は開閉の状態を固定する。実施例１の紐３は平リボンであるが、他に弾性を有する丸紐とすることができる。実施例では紐３の両端に、梵天状に弾性形成された抜け止め部３１が固着される（図２，３等）。
【００２９】
紐３はその構成材が伸縮性を有する縫合糸で縫合されることで、ストッキング地及び覆い布の伸縮性に縫合糸が追従して伸縮することができる。紐３の他の態様として紐３の両端付近が結束具の結束によって緊結され、この結束具によって緊結量を調節しうるものとしてもよい。また他の形態として、紐３が伸縮性を有すると共に、紐の両端付近が表面弾性を有する結束具によって結束され、この結束具によって緊結量を調節しうるもの、或いはさらに他の形態として、紐の両端がつながって環状に構成され、紐通し部２１の開口からその一部が露出し、露出した当該一部を引き出して緊縮量を調節するものとしてもよい。
【００３０】
（使用方法）
本発明のストッキングの使用において、紐３の先部を絞り孔４０に通して引き上げて飾り部４上又はその上方位置で紐３両端を止めることで、通常開口状態ｓ１と絞り開口状態ｓ２の２つの開口状態を形成することができる。紐３の先部を絞り孔４０に通して引き上げることで覆い布２が飾り部４側へ絞られてその長さが縮まり、開口縁２Ｅが上方へ手繰り寄せられる。このようにして、図１乃至６に示す通常開口状態ｓ１から、図７に示す絞り開口状態ｓ２となる。
【００３１】
（着脱係止具）実施例１の着脱係止具は足の甲側と足の裏側に二つずつ、一列に輪状配置したボタン５１と対応する位置に配置したボタン孔５２とから構成される。ほかにボタン孔５２あるいはボタン５１のいずれかを複数列ずつ輪状配置することで、覆い布２の取り付け位置を調節できるものとしてもよい。例えば複数のボタン孔５２を輪状配列させたボタン孔列を、覆い布２の裏材２Ｒに長さ方向に離間させて配置するとともに、足袋１の表側に、対応する位置の複数のボタン５１からなる一列のボタン列を取り付けたものとすれば、任意のボタン孔列とボタン列とを取り付けることで覆い布２の取り付け位置を調節することが出来る。
【００３２】
またボタン５１とボタン孔５２の係止構造に限らず、他の着脱係止具の態様として、雄ファスナーと雌ファスナーからなるファスナーで構成されるもの、フック体とループ体の係合によって着脱する面ファスナーで構成されるもの、自着性の帯体同士で構成されるもの、あるいは繰り返し接着可能な接着剤面と被接着面とで構成されるものでもよい。
【００３３】
（飾り部４）飾り部４は、足の甲側にて足幅方向を亘り、両側端部４２が覆い布２に縫合された装飾片からなり、この装飾片と覆い布２との間に絞り孔４０が形成される。実施例の飾り部４は、横長矩形の布片がその中央部で幅を絞られたリボン様の飾り片で構成され、両側端部が側辺全体に沿って覆い布２の上半部に縫合されることで、覆い布２の上面と飾り部４の下面との間に絞り孔４０が形成される。実施例１ではさらに中央部４１でも縫合され、２つのドーム状に続けて亘る飾り部４によって二つの絞り孔４０が形成される。
実施例１の取り付け位置は足の甲の中央位置であって覆い布２の上縁より覆い布２の略三分の一長さの位置であるが、他の態様として、足のくるぶし部分となる外側部に形成されても良い。また他の態様として二つ以上の飾り部４を取り付けたものでも良く、取り外し自在なものとしてもよい。
【実施例２】
【００３４】
実施例２では切り込み部２２の左右の切り込み縁から他方の切り込み縁側に向かって、弾性体からなる複数の環状のループ帯２３Ｌ，２３Ｒが側方に突出形成される。左ループ帯２３Ｌ、右ループ体２３Ｒは、切り込み長さ方向にて互いに重ならないように断続して形成され、左右交互にループが亘るように形成される（図８）。また下方位置のループ帯は上方のものよりもループ長さが長く、左右合わせて上方位置のループ帯となるにつれてループ長さが段階的に短く構成される。この左右ループ帯２３Ｌ,２３Ｒ内を、紐通し孔２０の開口から突出した紐３が順に挿通し、上部の飾り部４の位置まで導通される。左右ループ帯２３Ｌ,２３Ｒによって紐３がからまったり緩んだりすることを防ぎ、良好な体裁を保つことができる。断続的に紐通し部２１は覆い布２の先に延設した紐通し用表材２１Ｆを表側へ折り返し、ステッチ２１で縫合されることで、覆い布２の表面周囲に紐通し表材２１Ｒが筒状に配される（図９）。覆い布２の表側を絞ることで絞り開口状態ｓ２とした時に覆い布２が裏返りにくいものとなる。その他の特記しない構成は実施例１と同様である。
【実施例３】
【００３５】
実施例３では実施例１，２のような切り込み部２２を有さず、実施例１，２のように飾り部４が中央部４１で縫合されておらず、絞り孔４０はひとつだけ形成される（図９）。実施例３の紐通し部２１は覆い布２の先に延設した紐通し用表材２１Ｆを表側へ折り返し、ステッチ２１で縫合されることで、覆い布２の表面周囲に紐通し表材２１Ｒが筒状に配される（図９）。覆い布２の表側を絞ることで絞り開口状態ｓ２とした時に覆い布２が裏返りにくいものとなる。その他の特記しない構成は実施例１と同様である。
【００３６】
その他、本発明は、上述した実施例に限定されることなく、本発明の趣旨を逸脱しない範囲において実施例の各構成の組合せ或いは除外が可能である。
【産業上の利用可能性】
【００３７】
本発明のストッキングは、拘束感をやわらげるために開口部を開口させて使用するほか、本発明のストッキングをはいたままの状態でも足指間に鼻緒を配した履物（下駄、雪駄、サンダル等）を履くことができる。また足指の治療を行うことができる。また開放状態とすることで、５本指の靴下を本発明のストッキングの上から重ね履きできる。またストッキング地を変更してタイツにしたり、レギンスとして使用することも可能である。さらに股部を取り除いて先端開口した一本ずつの足袋１からなるレッグウォーマーや靴下様の履物としても利用できる。
【符号の説明】
【００３８】
１Ｄ  ストッキング本体
１  足袋
２  覆い布
２Ｅ  端部開口
２０  紐通し孔
２１  紐通し部
２２  切り込み部
３  紐
３１  抜け止め具
４  飾り部
４１  中央部
４２  側端部
４０  絞り孔
５１  ボタン
５２  ボタン孔
【図１】
0005543165.tif 000002
【図２】
0005543165.tif 000003
【図３】
0005543165.tif 000004
【図４】
0005543165.tif 000005
【図５】
0005543165.tif 000006
【図６】
0005543165.tif 000007
【図７】
0005543165.tif 000008
【図８】
0005543165.tif 000009
【図９】
0005543165.tif 000010